(57)【要約】  少なくとも、低アクティビティ状態のセルを選択し、及びその選択されたセルが、低アクティビティ状態への状態変更を実行する間にサービングセルと同じである場合には、その選択されたセルへ無線接続再開要求を送信し；又はその選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信し；無線接続再開要求に対する応答として無線接続再開要求応答を受信し、及びデータ送信のための無線接続再開を実行するのに適した装置。【選択図】      図６
2019502328.tif 000002
【特許請求の範囲】
【請求項１】
少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、
ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、及び
ネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び
無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又は
ユーザデバイスのネットワークコンテクスト情報に対するネットワークコンテクスト要求を送信し、ユーザデバイスが低アクティビティ状態である間にネットワークコンテクスト情報を受信及び記憶する、
ようにさせるよう構成された装置。
【請求項２】
前記装置が、ユーザデバイスのネットワークコンテクストの受信に対する応答として、確認メッセージを送信するようにさせることを更に含む、請求項１に記載の装置。
【請求項３】
前記データ送信に必要な情報は、セキュリティ情報を含み、及び／又は前記ネットワークコンテクスト準備要求に対する応答は、セキュリティ情報を含む、請求項１又は２に記載の装置。
【請求項４】
前記装置が、サービングノード変更を実行し、そしてユーザデバイスの新規サービングノードとして動作するためにユーザデバイスのネットワークコンテクストを記憶するようにさせることを更に含む、請求項１又は３に記載の装置。
【請求項５】
前記装置が、コアネットワークの助けでセキュリティ情報を更新するようにさせることを更に含み、そしてその更新されたセキュリティ情報は、データ送信に必要な情報の一部分として、又はネットワークコンテクスト準備要求に対する応答と共に、ユーザデバイスへ送信される、請求項４に記載の装置。
【請求項６】
前記無線接続再開要求は、更に、ユーザデバイスのネットワークコンテクストに関連してユーザデバイスの検証に使用されるべきネットワークコンテクスト要求の一部分としてサービングノードへ転送される認証情報を含む、請求項１から５のいずれかに記載の装置。
【請求項７】
少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、
ユーザデバイスのネットワークコンテクスト情報を記憶するノードにより、ユーザデバイスから無線接続再開要求を受信し；
ネットワークコンテクスト情報に関連した認証情報でユーザデバイスを検証し、及び
無線接続再開要求に対する応答をユーザデバイスへ送信し、その応答は、データ送信に必要な情報を含むものであり；又は
ユーザデバイスのネットワークコンテクスト情報を記憶するノードにより、要求側ノードからユーザデバイスのネットワークコンテクスト情報に対するネットワークコンテクスト要求を受信し；
ネットワークコンテクスト情報に関連した認証情報でユーザデバイスを検証し、及び
データ送信のためのセキュリティ情報を含むネットワークコンテクスト情報を要求側ノードへ送信する、
ようにさせるよう構成された装置。
【請求項８】
前記認証情報は、ユーザデバイスが低アクティビティ状態に入ることに関連して生成される認証トークン及びユーザ識別を含む、請求項７に記載の装置。
【請求項９】
前記装置が、コアネットワークとは独立してセキュリティ情報を更新するようにさせることを更に含み、そしてデータ送信に必要な情報は、セキュリティ情報を含む、請求項７又は８に記載の装置。
【請求項１０】
前記無線接続再開要求及び／又はネットワークコンテクスト要求は、ユーザデバイスのネットワークコンテクスト情報を記憶する義務の変更を実行する判断に使用され及び／又は記憶されるべきユーザデバイスの位置に関する情報を含む、請求項７から９のいずれかに記載の装置。
【請求項１１】
前記装置が、義務の変更を実行して、要求側ノード及びコアネットワークでユーザデバイスのネットワークコンテクスト情報を記憶するようにさせることを更に含む、請求項７から１０のいずれかに記載の装置。
【請求項１２】
前記装置が、
要求側ノードを二次ノードとして構成し、
コアネットワークとは独立してセキュリティ情報を更新する、
ようにさせることを更に含み、ネットワークコンテクスト情報と共に送信されるセキュリティ情報は、更新されたセキュリティ情報である、請求項７又は８に記載の装置。
【請求項１３】
前記セキュリティ情報は、少なくとも１つのセル特有、ノード特有又はトラッキングエリア特有のセキュリティキー、及び／又は暗号アルゴリズムを含む、請求項１２に記載の装置。
【請求項１４】
データ送信に必要な情報に含まれるセキュリティ情報は、少なくとも１つのセル特有、ノード特有、又はトラッキングエリア特有の暗号アルゴリズムを含む、請求項９に記載の装置。
【請求項１５】
少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、
低アクティビティ状態のセルを選択し、及び
その選択されたセルが、低アクティビティ状態への状態変更を実行する間にサービングセルと同じである場合には、その選択されたセルへ無線接続再開要求を送信し；又は
その選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信し；
無線接続再開要求に対する応答として無線接続再開要求応答を受信し、及び
データ送信のための無線接続再開を実行する、
ようにさせるよう構成された装置。
【請求項１６】
前記無線接続再開要求の応答は、データ送信のためのセキュリティ情報を含む、請求項１５に記載の装置。
【請求項１７】
前記セキュリティ情報は、ネットワークコンテクストに関連している、請求項１６に記載の装置。
【請求項１８】
前記無線接続再開要求は、ユーザデバイスが低アクティビティ状態に入ることに関連して生成される認証トークン、ユーザ識別、サービングセルの情報、及び再開の原因のうちの少なくとも１つを含む、請求項１５から１７のいずれかに記載の装置。
【請求項１９】
前記装置が、
無線接続再開要求を前記選択されたセルへ送信する前に低アクティビティ状態への状態変更を実行する間に前記選択されたセルがサービングセルとは別のセルである場合には、
ネットワークコンテクスト準備要求を前記選択されたセルへ送信し、及び
ネットワークコンテクスト準備要求に対する応答であって、データ送信のためのセキュリティ情報を含む応答を受信する、
ようにさせることを更に含む、請求項１５又は１８に記載の装置。
【請求項２０】
前記装置に無線通信能力を与える無線インターフェイスエンティティを更に備えた、請求項１５から１９のいずれかに記載の装置。
【請求項２１】
ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、及び
ネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び
無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又は
ユーザデバイスのネットワークコンテクスト情報に対するネットワークコンテクスト要求を送信し、ユーザデバイスが低アクティビティ状態である間にネットワークコンテクスト情報を受信及び記憶する、
ことを含む方法。
【請求項２２】
ユーザデバイスのネットワークコンテクストの受信に対する応答として、確認メッセージを送信することを更に含む、請求項２１に記載の方法。
【請求項２３】
前記データ送信に必要な情報は、セキュリティ情報を含み、及び／又は前記ネットワークコンテクスト準備要求に対する応答は、セキュリティ情報を含む、請求項２１又は２２に記載の方法。
【請求項２４】
サービングノード変更を実行し、そしてユーザデバイスの新規サービングノードとして動作するためにユーザデバイスのネットワークコンテクストを記憶することを更に含む、請求項２１又は２３に記載の方法。
【請求項２５】
コアネットワークの助けでセキュリティ情報を更新することを更に含み、そしてその更新されたセキュリティ情報は、データ送信に必要な情報の一部分として、又はネットワークコンテクスト準備要求に対する応答と共に、ユーザデバイスへ送信される、請求項２４に記載の方法。
【請求項２６】
前記無線接続再開要求は、更に、ユーザデバイスのネットワークコンテクストに関連してユーザデバイスの検証に使用されるべきネットワークコンテクスト要求の一部分としてサービングノードへ転送される認証情報を含む、請求項２１から２５のいずれかに記載の方法。
【請求項２７】
ユーザデバイスのネットワークコンテクスト情報を記憶するノードにより、ユーザデバイスから無線接続再開要求を受信し；
ネットワークコンテクスト情報に関連した認証情報でユーザデバイスを検証し、及び
無線接続再開要求に対する応答をユーザデバイスへ送信し、その応答は、データ送信に必要な情報を含むものであり；又は
ユーザデバイスのネットワークコンテクスト情報を記憶するノードにより、要求側ノードからユーザデバイスのネットワークコンテクスト情報に対するネットワークコンテクスト要求を受信し；
ネットワークコンテクスト情報に関連した認証情報でユーザデバイスを検証し、及び
データ送信のためのセキュリティ情報を含むネットワークコンテクスト情報を要求側ノードへ送信する、
ことを含む方法。
【請求項２８】
前記認証情報は、ユーザデバイスが低アクティビティ状態に入ることに関連して生成される認証トークン及びユーザ識別を含む、請求項２７に記載の方法。
【請求項２９】
コアネットワークとは独立してセキュリティ情報を更新することを更に含み、そしてデータ送信に必要な情報は、セキュリティ情報を含む、請求項２７又は２８に記載の方法。
【請求項３０】
前記無線接続再開要求及び／又はネットワークコンテクスト要求は、ユーザデバイスのネットワークコンテクスト情報を記憶するための義務の変更を行う判断に使用され及び／又は記憶されるべきユーザデバイスの位置に関する情報を含む、請求項２７から２９のいずれかに記載の方法。
【請求項３１】
義務の変更を実行して、要求側ノード及びコアネットワークでユーザデバイスのネットワークコンテクスト情報を記憶することを更に含む、請求項２７から３０のいずれかに記載の方法。
【請求項３２】
要求側ノードを二次ノードとして構成し、
コアネットワークとは独立してセキュリティ情報を更新する、
ことを更に含み、ネットワークコンテクスト情報と共に送信されるセキュリティ情報は、更新されたセキュリティ情報である、請求項２７又は２８に記載の方法。
【請求項３３】
前記セキュリティ情報は、少なくとも１つのセル特有、ノード特有又はトラッキングエリア特有のセキュリティキー、及び／又は暗号アルゴリズムを含む、請求項３２に記載の方法。
【請求項３４】
データ送信に必要な情報に含まれるセキュリティ情報は、少なくとも１つのセル特有、ノード特有、又はトラッキングエリア特有の暗号アルゴリズムを含む、請求項２９に記載の方法。
【請求項３５】
低アクティビティ状態のセルを選択し、及び
その選択されたセルが、低アクティビティ状態への状態変更を実行する間にサービングセルと同じである場合には、その選択されたセルへ無線接続再開要求を送信し；又は
その選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信し；
無線接続再開要求に対する応答として無線接続再開要求応答を受信し、及び
データ送信のための無線接続再開を実行する、
ことを含む方法。
【請求項３６】
前記無線接続再開要求の応答は、データ送信のためのセキュリティ情報を含む、請求項３５に記載の方法。
【請求項３７】
前記セキュリティ情報は、ネットワークコンテクストに関連している、請求項３６に記載の方法。
【請求項３８】
前記無線接続再開要求は、ユーザデバイスが低アクティビティ状態に入ることに関連して生成される認証トークン、ユーザ識別、サービングセルの情報、及び再開の原因のうちの少なくとも１つを含む、請求項３５から３７のいずれかに記載の方法。
【請求項３９】
無線接続再開要求を前記選択されたセルへ送信する前に低アクティビティ状態への状態変更を実行する間に前記選択されたセルがサービングセルとは別のセルである場合には、
ネットワークコンテクスト準備要求を前記選択されたセルへ送信し、及び
ネットワークコンテクスト準備要求に対する応答であって、データ送信のためのセキュリティ情報を含む応答を受信する、
ことを更に含む、請求項３５又は３８に記載の方法。
【請求項４０】
請求項２１から３９のいずれか１つに記載の方法を実施するための手段を備えた装置。
【請求項４１】
コンピュータのためのコンピュータプログラム製品であって、その製品がコンピュータ上で実行されるときに請求項２１から３９のいずれかに記載のステップを遂行するためのソフトウェアコード部分を含む、コンピュータプログラム製品。
【請求項４２】
非一時的なコンピュータ読み取り可能な媒体で実施されるコンピュータプログラムにおいて、
ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、及び
ネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び
無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又は
ユーザデバイスのネットワークコンテクスト情報に対するネットワークコンテクスト要求を送信し、ユーザデバイスが低アクティビティ状態である間にネットワークコンテクスト情報を受信及び記憶する、
ことを含むプロセスの実行を制御するためのプログラムコード部分を備えたコンピュータプログラム。
【請求項４３】
非一時的なコンピュータ読み取り可能な媒体で実施されるコンピュータプログラムにおいて、
ユーザデバイスのネットワークコンテクスト情報を記憶するノードにより、ユーザデバイスから無線接続再開要求を受信し；
ネットワークコンテクスト情報に関連した認証情報でユーザデバイスを検証し、及び
無線接続再開要求に対する応答をユーザデバイスへ送信し、その応答は、データ送信に必要な情報を含むものであり；又は
ユーザデバイスのネットワークコンテクスト情報を記憶するノードにより、要求側ノードからユーザデバイスのネットワークコンテクスト情報に対するネットワークコンテクスト要求を受信し；
ネットワークコンテクスト情報に関連した認証情報でユーザデバイスを検証し、及び
データ送信のためのセキュリティ情報を含むネットワークコンテクスト情報を要求側ノードへ送信する、
ことを含むプロセスの実行を制御するためのプログラムコード部分を備えたコンピュータプログラム。
【請求項４４】
非一時的なコンピュータ読み取り可能な媒体で実施されるコンピュータプログラムにおいて、
低アクティビティ状態のセルを選択し、及び
その選択されたセルが、低アクティビティ状態への状態変更を実行する間にサービングセルと同じである場合には、その選択されたセルへ無線接続再開要求を送信し；又は
その選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信し；
無線接続再開要求に対する応答として無線接続再開要求応答を受信し、及び
データ送信のための無線接続再開を実行する、
ことを含むプロセスの実行を制御するためのプログラムコード部分を備えたコンピュータプログラム。
【発明の詳細な説明】
【技術分野】
【０００１】
本発明は、通信に関する。
【背景技術】
【０００２】
背景技術の以下の説明は、本発明以前の当該技術では知られておらず本発明により提供される開示と共に、洞察、発見、理解又は開示或いは関連性を包含する。本発明のそのような貢献の幾つかを、特に、以下に指摘するが、本発明の他のそのような貢献は、それらのコンテクストから明らかとなろう。
【０００３】
将来、移動通信システムは、人間の対話だけには使用されない。むしろ、「モノのインターネット」と時々称されるマシンタイプ通信の膨大な成長が期待される。又、デバイスは、人々により遠隔制御及び管理されるだけではなく、互いに通信も行う。それ故、通信システム開発の１つのターゲットは、最も挑戦的な使い方をする場合でもボトルネックとならない無線インターフェイスを提供することである。別のターゲットは、微妙なパーソナルデータを保護するだけでなく、システムに情報を挿入することから安全性も与えるセキュリティである。
【発明の概要】
【０００４】
本発明の観点によれば、少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、及びネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又はユーザデバイスのネットワークコンテクスト情報に対するネットワークコンテクスト要求を送信し、ユーザデバイスが低アクティビティ状態である間にネットワークコンテクスト情報を受信及び記憶する、ようにさせるよう構成された装置が提供される。
【０００５】
本発明の観点によれば、少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、ユーザデバイスのネットワークコンテクスト情報を記憶するノードにより、ユーザデバイスから無線接続再開要求を受信し；ネットワークコンテクスト情報に関連した認証情報でユーザデバイスを検証し、及び無線接続再開要求に対する応答をユーザデバイスへ送信し、その応答は、データ送信に必要な情報を含むものであり；又はユーザデバイスのネットワークコンテクスト情報を記憶するノードにより、要求側ノードからユーザデバイスのネットワークコンテクスト情報に対するネットワークコンテクスト要求を受信し；ネットワークコンテクスト情報に関連した認証情報でユーザデバイスを検証し、及びデータ送信のためのセキュリティ情報を含むネットワークコンテクスト情報を要求側ノードへ送信する、ようにさせるよう構成された装置が提供される。
【０００６】
本発明の観点によれば、少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、低アクティビティ状態のセルを選択し、及びその選択されたセルが低アクティビティ状態への状態変更を実行する間にサービングセルと同じである場合には、その選択されたセルに無線接続再開要求を送信し；又はその選択されたセルが低アクティビティ状態への状態変更を実行する間にサービングセルとは別のセルである場合には、低アクティビティ状態において実行されるセル変更に関してユーザデバイスの位置に関する情報が送信されていないとすれば、その位置に関する情報と共にその選択されたセルへ無線接続再開要求を送信し；無線接続再開要求に対する応答として無線接続再開要求応答を受信し、及びデータ送信のための無線接続再開を実行する、ようにさせるよう構成された装置が提供される。
【０００７】
本発明の更に別の観点によれば、ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、及びネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又はユーザデバイスのネットワークコンテクスト情報に対するネットワークコンテクスト要求を送信し、ユーザデバイスが低アクティビティ状態である間にネットワークコンテクスト情報を受信及び記憶する、ことを含む方法が提供される。
【０００８】
本発明の更に別の観点によれば、ユーザデバイスのネットワークコンテクスト情報を記憶するノードにより、ユーザデバイスから無線接続再開要求を受信し；ネットワークコンテクスト情報に関連した認証情報でユーザデバイスを検証し、及び無線接続再開要求に対する応答をユーザデバイスへ送信し、その応答は、データ送信に必要な情報を含むものであり；又はユーザデバイスのネットワークコンテクスト情報を記憶するノードにより、要求側ノードからユーザデバイスのネットワークコンテクスト情報に対するネットワークコンテクスト要求を受信し；ネットワークコンテクスト情報に関連した認証情報でユーザデバイスを検証し、及びデータ送信のためのセキュリティ情報を含むネットワークコンテクスト情報を要求側ノードへ送信する、ことを含む方法が提供される。
【０００９】
本発明の更に別の観点によれば、低アクティビティ状態のセルを選択し、及びその選択されたセルが低アクティビティ状態への状態変更を実行する間にサービングセルと同じである場合には、その選択されたセルに無線接続再開要求を送信し；又はその選択されたセルが低アクティビティ状態への状態変更を実行する間にサービングセルとは別のセルである場合には、低アクティビティ状態において実行されるセル変更に関してユーザデバイスの位置に関する情報が送信されていないとすれば、その位置に関する情報と共にその選択されたセルへ無線接続再開要求を送信し；無線接続再開要求に対する応答として無線接続再開要求応答を受信し、及びデータ送信のための無線接続再開を実行する、ことを含む方法が提供される。本発明の更に別の観点によれば、ネットワークノードにより、ユーザデバイスから無線接続再開要求又はネットワークコンテクスト準備要求を受信するための手段を備え、その無線接続再開要求又はネットワークコンテクスト準備要求は、ユーザデバイスのサービングノードとして動作するノードに関する情報を含むものであり、及びネットワークノードがサービングノードとして動作するノードでない場合には、ユーザデバイスのネットワークコンテクスト情報に対するネットワークコンテクスト要求を、サービングノードとして動作するノードへ送信するための手段、及びネットワークコンテクスト情報を受信するための手段、並びに無線接続再開要求又はネットワークコンテクスト準備要求に対する応答をユーザデバイスへ送信するための手段を備え、その無線接続再開要求又はネットワークコンテクスト準備要求に対する応答は、データ送信に必要な情報を含むものであり；及び／又はユーザデバイスのネットワークコンテクスト情報に対するネットワークコンテクスト要求を送信するための手段、ユーザデバイスが低アクティビティ状態である間にネットワークコンテクスト情報を受信するための手段及びそれを記憶するための手段を更に備えた装置が提供される。
【００１０】
本発明の更に別の観点によれば、ネットワークノードにより、ユーザデバイスから無線接続再開要求又はネットワークコンテクスト準備要求を受信するための手段を備え、その無線接続再開要求又はネットワークコンテクスト準備要求は、ユーザデバイスのサービングノードとして動作するノードに関する情報を含むものであり、及びネットワークノードがサービングノードとして動作するノードでない場合には、ユーザデバイスのネットワークコンテクスト情報に対するネットワークコンテクスト要求を、サービングノードとして動作するノードへ送信するための手段、及びネットワークコンテクスト情報を受信するための手段、並びに無線接続再開要求又はネットワークコンテクスト準備要求に対する応答をユーザデバイスへ送信するための手段を備え、その無線接続再開要求又はネットワークコンテクスト準備要求に対する応答は、データ送信に必要な情報を含むものであり；及び／又はユーザデバイスのネットワークコンテクスト情報に対するネットワークコンテクスト要求を送信するための手段、ユーザデバイスが低アクティビティ状態である間にネットワークコンテクスト情報を受信するための手段及びそれを記憶するための手段を更に備えた装置が提供される。
【００１１】
本発明の更に別の観点によれば、低アクティビティ状態のセルを選択するための手段を備え、及びその選択されたセルが、低アクティビティ状態への状態変更を実行する間にサービングセルと同じである場合には、その選択されたセルへ無線接続再開要求を送信するための手段を備え；又はその選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信するための手段；無線接続再開要求に対する応答として無線接続再開要求応答を受信するための手段、及びデータ送信のための無線接続再開を実行するための手段を備えた装置が提供される。本発明の更に別の観点によれば、ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、及びネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又はユーザデバイスのネットワークコンテクスト情報に対するネットワークコンテクスト要求を送信し、ユーザデバイスが低アクティビティ状態である間にネットワークコンテクスト情報を受信及び記憶する、ことを含むプロセスの実行を制御するためのプログラムコード部分を備えたコンピュータプログラムが提供される。
【００１２】
本発明の更に別の観点によれば、ユーザデバイスのネットワークコンテクスト情報を記憶するノードにより、ユーザデバイスから無線接続再開要求を受信し；ネットワークコンテクスト情報に関連した認証情報でユーザデバイスを検証し、及び無線接続再開要求に対する応答をユーザデバイスへ送信し、その応答は、データ送信に必要な情報を含むものであり；又はユーザデバイスのネットワークコンテクスト情報を記憶するノードにより、要求側ノードからユーザデバイスのネットワークコンテクスト情報に対するネットワークコンテクスト要求を受信し；ネットワークコンテクスト情報に関連した認証情報でユーザデバイスを検証し、及びデータ送信のためのセキュリティ情報を含むネットワークコンテクスト情報を要求側ノードへ送信する、ことを含むプロセスの実行を制御するためのプログラムコード部分を備えたコンピュータプログラムが提供される。
【００１３】
本発明の更に別の観点によれば、低アクティビティ状態のセルを選択し、及びその選択されたセルが、低アクティビティ状態への状態変更を実行する間にサービングセルと同じである場合には、その選択されたセルへ無線接続再開要求を送信し；又はその選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信し；無線接続再開要求に対する応答として無線接続再開要求応答を受信し、及びデータ送信のための無線接続再開を実行する、ことを含むプロセスの実行を制御するためのプログラムコード部分を備えたコンピュータプログラムが提供される。
【００１４】
以下、添付図面を参照し、本発明の幾つかの実施形態を一例として説明する。
【図面の簡単な説明】
【００１５】
【図１】システムの一例を示す。
【図２】フローチャートである。
【図３】別のフローチャートである。
【図４】更に別のフローチャートである。
【図５Ａ】シグナリングチャートの例である。
【図５Ｂ】シグナリングチャートの例である。
【図５Ｃ】シグナリングチャートの例である。
【図６】装置の一例を示す。
【図７】装置の別の例を示す。
【発明を実施するための形態】
【００１６】
添付図面を参照して、本発明の幾つかの実施形態を以下に説明する。本発明は、多数の異なる形態で実施されてもよく、ここに述べる実施形態に限定されると解釈されてはならない。
【００１７】
以下の実施形態は例示に過ぎない。明細書の多数の位置に「一(an)」、「１つの(one)」又は「幾つかの(some)」実施形態という表現が出てくるが、これは、必ずしも、各表現が同じ実施形態（１つ又は複数）に対してなされ、又は１つの実施形態に特定の特徴だけが適用されることを意味していない。異なる実施形態の１つの特徴を合成して、別の実施形態とすることもできる。更に、「備える(comprising)」及び「含む(including)」という語は、ここに述べる実施形態を、記述した特徴のみで構成されるように限定すると理解されてはならず、そしてそのような実施形態は、特に記述されなかった特徴、構造、ユニット、モジュール、等を含んでもよい。
【００１８】
それら実施形態は、ユーザターミナルのようなユーザデバイスに適用でき、そしてネットワーク要素、リレーノード、サーバー、ノード、対応コンポーネント、及び／又は必要な機能をサポートする通信システム又は異なる通信システムの組み合せにも適用できる。通信システムは、ワイヤレス通信システムであるか、或いは固定及びワイヤレスの両ネットワークを使用する通信システムである。使用するプロトコルや、通信システム、装置、例えば、サーバー及びユーザターミナルの仕様は、特にワイヤレス通信では、急速に発展している。そのような発展は、実施形態に対する特別な変更を要求する。それ故、全ての語及び表現は、広く解釈されねばならず、それらは、実施形態を例示するものであって、限定するものではない。
【００１９】
以下、異なる規範的実施形態を、それら実施形態が適用されるアクセスアーキテクチャーの例として、長期進化アドバンスト（ＬＴＥアドバンスト、ＬＴＥ−Ａ）に基づく無線アクセスアーキテクチャーを使用して説明するが、それら実施形態はそのようなアーキテクチャーに限定されない。又、当業者であれば、それら実施形態は、パラメータ及び手順を適宜に調整することにより適当な手段を有する他の種類の通信ネットワークにも適用できることが明らかであろう。適当なシステムのための他のオプションの幾つかの例は、５Ｇ、ユニバーサル移動テレコミュニケーションシステム（ＵＭＴＳ）無線アクセスネットワーク（ＵＴＲＡＮ又はＥ−ＵＴＲＡＮ）、長期進化（ＬＴＥ、Ｅ−ＵＴＲＡと同じ）、ワイヤレスローカルエリアネットワーク（ＷＬＡＮ又はＷｉＦｉ）、マイクロ波アクセスのための世界的相互運用性（ＷｉＭＡＸ）、Ｂｌｕｅｔｏｏｔｈ（登録商標）、パーソナル通信サービス（ＰＣＳ）、ＺｉｇＢｅｅ（登録商標）、ワイドバンドコード分割多重アクセス（ＷＣＤＭＡ（登録商標））、超ワイドバンド（ＵＷＢ）技術を使用するシステム、センサネットワーク、モバイルアドホックネットワーク（ＭＡＮＥＴ）及びインターネットプロトコルマルチメディアサブシステム（ＩＭＳ）又はその任意の組み合せである。
【００２０】
図１は、簡単なシステムアーキテクチャーの例を示すもので、幾つかの要素及び機能的エンティティのみを示し、それらは全て論理ユニットで、その実施は、図示されたものと異なってもよい。図１に示す接続は、論理的な接続であり、実際の物理的接続は、異なることがある。当業者に明らかなように、システムは、典型的に、図１に示されたもの以外の機能及び構造も含む。
【００２１】
しかしながら、実施形態は、一例として示されたシステムに限定されず、当業者であれば、必要な特性が設けられた他の通信システムに解決策を適用することができよう。適当な通信システムの別の例は、５Ｇの概念である。５Ｇは、おそらく、多入力・多出力（ＭＩＭＯ）アンテナ、ＬＴＥ（いわゆる小型セルの概念）より多数のベースステーション又はノードを使用し、これは、小型ステーションと協働するマクロサイトを含み、そしておそらく、良好なカバレージ及びデータレート改善のために種々の無線テクノロジーを使用するものである。５Ｇは、おそらく、ある使用ケース及び／又はスペクトルに対して各々最適化された２つ以上の無線アクセステクノロジー（ＲＡＴ）で構成される。５Ｇの移動通信は、ビデオストリーミング、リアリティ増強、異なるデータ共有方法、及び種々の形態のマシンタイプアプリケーション（乗物安全性、異なるセンサ及びリアルタイム制御を含む）を含めて、広範な使用ケース及び関連アプリケーションを有することになる。５Ｇは、多数の無線インターフェイス、即ち６ＧＨｚ以下、ｃｍ波及びｍｍ波を有し、そしてＬＴＥのような既存のレガシー無線アクセステクノロジーと統合可能であることが期待される。ＬＴＥとの統合は、少なくとも初期の段階において、マクロカバレージがＬＴＥにより与えられそして５Ｇ無線インターフェイスアクセスがＬＴＥへのアグリゲーションにより小型セルから到来するシステムとして具現化される。換言すれば、５Ｇは、ＲＡＴ間運用性（ＬＴＥ−５Ｇのような）及びＲＩ間運用性（無線インターフェイス間運用性、例えば、６ＧＨｚ−ｃｍ波以下、６ＧＨｚ−ｃｍ波−ｍｍ波以下）の両方をサポートするように計画される。５Ｇネットワークに使用されると考えられる概念の１つは、多数の独立した専用のバーチャルサブネットワーク（ネットワークインスタンス）が同じインフラストラクチャー内に生成されて、レイテンシー、信頼性、スループット及び移動性について異なる要件をもつサービスを実行するネットワークスライシングである。
【００２２】
将来のネットワークは、おそらく、バーチャル化ネットワークノード機能を、サービス提供のために一緒に作動的に接続又はリンクされる「ビルディングブロック」又はエンティティへと提案するネットワークアーキテクチャー概念であるネットワーク機能バーチャル化（ＮＦＶ）を使用することになると理解されたい。バーチャル化ネットワーク機能（ＶＮＦ）は、カスタマイズされたハードウェアではなく標準的又は一般的タイプのサーバーを使用してコンピュータプログラムコードを実行する１つ以上のバーチャルマシンを含む。又、クラウドコンピューティング又はデータストレージも使用できる。無線通信において、これは、リモート無線ヘッドに作動的に結合されるサーバー、ホスト又はノードにおいて少なくとも部分的に実行されるノードオペレーションを意味する。又、複数のサーバー、ノード又はホスト間でノードオペレーションが分散されることも考えられる。又、コアネットワークオペレーションとベースステーションオペレーションとの間での労力の分配は、ＬＴＥの場合と異なってもよく、又は不存在でもよいことも理解されたい。おそらく利用される幾つかの他の技術的進歩は、ソフトウェア定義ネットワーキング（ＳＤＮ）、ビッグデータ、及びオールＩＰであり、これは、ネットワークを構成し及び管理する仕方を変更させる。
【００２３】
図１の例は、Ｅ−ＵＴＲＡ、ＬＴＥ、ＬＴＥアドバンスト（ＬＴＥ−Ａ）、又はＬＴＥ／ＥＰＣ（ＥＰＣ＝進化型パケットコア、ＥＰＣは、インターネットプロトコルトラフィックの高速データレート及び成長に対抗するようにパケット交換技術を向上させたものである）に基づく無線アクセスネットワークの一部分を示す。Ｅ−ＵＴＲＡは、ＬＴＥリリース８のエアインターフェイスである（ＵＴＲＡ＝ＵＭＴＳ地上無線アクセス、ＵＭＴＳ＝ユニバーサル移動テレコミュニケーションズシステム）。ＬＴＥ（又はＥ−ＵＴＲＡ）により得られる効果は、プラグ・アンド・プレイデバイス、並びに周波数分割デュープレックス（ＦＤＤ）及び時分割デュープレックス（ＴＤＤ）を同じプラットホームで使用できることである。
【００２４】
図１は、セル内の１つ以上の通信チャンネル１０４及び１０６を経て、セルを形成するアクセスノード（例えば、(ｅ)ＮｏｄｅＢ）１０８とワイヤレス接続するように構成されたユーザデバイス１００及び１０２を示している。ユーザデバイスから(ｅ)ＮｏｄｅＢへの物理的リンクは、アップリンク又は逆方向リンクと称され、そして(ｅ)ＮｏｄｅＢからユーザデバイスへの物理的リンクは、ダウンリンク又は順方向リンクと称される。ノードの数、及びネットワークの数は、変化し得ることが明らかである。
【００２５】
ＮｏｄｅＢ、又はＬＴＥアドバンストにおけるアドバンスト進化型ノードＢ（ｅＮｏｄｅＢ、ｅＮＢ）は、それが結合された通信システムの無線リソースを制御するように構成されたコンピューティングデバイスである。(ｅ)ＮｏｄｅＢは、ベースステーション、アクセスポイント、又はワイヤレス環境で動作できるリレーステーションを含む他のタイプのインターフェイスデバイスとも称される。
【００２６】
(ｅ)ＮｏｄｅＢは、トランシーバを含むか又はそれに結合される。(ｅ)ＮｏｄｅＢのトランシーバから、ユーザデバイスへの両方向無線リンクを確立するアンテナユニットへの接続が設けられる。アンテナユニットは、複数のアンテナ又はアンテナ素子を含む。(ｅ)ＮｏｄｅＢは、更に、コアネットワーク１１０（ＣＮ）に接続される。システムに基づいて、ＣＮ側の相手部分は、ユーザデバイス（ＵＥ）を外部パケットデータネットワーク又は移動管理エンティティ（ＭＭＥ）等へ接続するためのサービングゲートウェイ（ユーザデータパケットをルーティング及び転送するＳ−ＧＷ）、パケットデータネットワークゲートウェイ（Ｐ−ＧＷ）である。
【００２７】
通信システムは、典型的に、２つ以上の(ｅ)ＮｏｄｅＢを備え、この場合、(ｅ)ＮｏｄｅＢは、その目的で設計されたワイヤード又はワイヤレスリンクを経て互いに通信するように構成されてもよい。それらのリンクは、シグナリングの目的で使用される。
【００２８】
又、通信システムは、公衆交換電話ネットワーク又はインターネット１１２のような他のネットワークと通信することもできる。又、通信ネットワークは、クラウドサービスの使用をサポートすることもでき、例えば、コアネットワークオペレーションの少なくとも一部分はクラウドサービスとして実行されてもよい（これは、図１に「クラウド」１１４で示されている）。(ｅ)ＮｏｄｅＢ又は他の機能は、そのような使用に適したノード、ホスト、サーバー又はアクセスポイント等を使用することにより具現化されてもよいことを理解されたい。
【００２９】
又、通信システムは、例えば、スペクトル共有において協働する異なる運営者のネットワークのためのファシリティを形成する中央制御エンティティ等を備えてもよい。
【００３０】
ユーザデバイス（ＵＥ、ユーザ装置、ユーザターミナル、ターミナルデバイス、等とも称される）は、エアインターフェイス上のリソースが割り当てられ及び指定される装置の１つのタイプを示し、従って、ユーザデバイスと共にここに述べる特徴は、リレーノードのような対応する装置と共に具現化されてもよい。そのようなリレーノードの一例は、ベースステーションに向かうレイヤ３リレー（自己バックホールリレー）である。
【００３１】
ユーザデバイスは、典型的に、加入者識別モジュール（ＳＩＭ）と共に又はそれを伴わずに動作するワイヤレス移動通信デバイスを含むポータブルコンピューティングデバイスを指し、これは、次のタイプのデバイス、即ち移動ステーション（移動電話）、スマートホン、パーソナルデジタルアシスタント（ＰＤＡ）、ハンドセット、ワイヤレスモデムを使用するデバイス（アラーム又は測定デバイス等）、ラップトップ及び／又はタッチスクリーンコンピュータ、タブレット、ゲームコンソール、ノートブック、及びマルチメディアデバイスを含むが、それに限定されない。又、ユーザデバイスは、ほぼ排他的なアップリンク専用のデバイスでもよく、その一例は、ネットワークに画像又はビデオクリップをロードするカメラ又はビデオカメラであることを理解されたい。又、ユーザデバイスは、人間対人間又は人間対コンピュータの対話を要求せずにネットワークを経てデータを転送する能力がオブジェクトに設けられるシナリオである「モノのネットワーク（ＩｏＴ）」ネットワークにおいて動作する能力をもつデバイスでもよい。
【００３２】
ユーザデバイス（又はある実施形態では、レイヤ３リレーノード）は、ユーザ装置機能の１つ以上を遂行するように構成される。ユーザデバイスは、名前又は装置を幾つか挙げると、加入者ユニット、移動ステーション、リモートターミナル、アクセスターミナル、ユーザターミナル又はユーザ装置（ＵＥ）とも称される。
【００３３】
図１において、ユーザデバイスは、明瞭化のために２つのアンテナしか含まないように示されていることを理解されたい。受信及び／又は送信アンテナの本数は、当然、現在の具現化に基づいて変化し得る。
【００３４】
更に、装置は、単一のエンティティとして描かれているが、異なるユニット、プロセッサ及び／又はメモリユニット（図１には示さず）が具現化されてもよい。
【００３５】
当業者であれば、ここに示すシステムは、無線アクセスシステムの一部分の例に過ぎず、実際には、システムは、複数の(ｅ)ＮｏｄｅＢを備え、ユーザ装置は、複数の無線セルにアクセスすることができ、そしてシステムは、物理的レイヤリレーノード又は他のネットワーク要素等の他の装置を備えてもよいことが明らかであろう。ＮｏｄｅＢ又はｅＮｏｄｅＢの少なくとも１つは、Ｈｏｍｅ(ｅ)ＮｏｄｅＢでよい。更に、無線通信システムのある地域では、複数の異なる種類の無線セル及び複数の無線セルが設けられてもよい。無線セルは、通常、数十ｋｍまでの直径をもつ大型セルであるマクロセル（又はアンブレラセル）であるか、又はマイクロ、フェムト又はピコセルのような小型セルである。図１の(ｅ)ＮｏｄｅＢは、任意の種類のそれらセルを形成してもよい。セルラー無線システムは、多数の種類のセルを含むマルチレイヤネットワークとして具現化されてもよい。典型的に、マルチレイヤネットワークでは、１つのノードＢが１つの種類のセル（１つ又は複数）を形成し、従って、そのようなネットワーク構造を与えるためには複数の(ｅ)ＮｏｄｅＢが要求される。
【００３６】
通信システムの展開及び性能を改善する必要性を満足させるために、「プラグ・アンド・プレイ」(ｅ)ＮｏｄｅＢの概念が導入された。典型的に、「プラグ・アンド・プレイ」(ｅ)ＮｏｄｅＢを使用できるネットワークは、Ｈｏｍｅ(ｅ)ＮｏｄｅＢ（Ｈ(ｅ)ＮｏｄｅＢ）に加えて、ホームノードＢゲートウェイ又はＨＮＢ−ＧＷ（図１には示さず）を含む。典型的に、運営者のネットワーク内にインストールされるＨＮＢゲートウェイ（ＨＮＢ−ＧＷ）は、多数のＨＮＢからコアネットワークへと戻るトラフィックをアグリゲートする。
【００３７】
又、ここに述べる種々の技術は、サイバー物理的システム（ＣＰＳ）（物理的エンティティを制御する協力計算要素のシステム）に適用されてもよい。ＣＰＳは、異なる位置で物理的オブジェクトに埋め込まれる大量の相互接続ＩＣＴデバイス（センサ、アクチュエータ、プロセッサ、マイクロコントローラ、等）を具現化及び利用できるようにする。当該物理的システムが固有の移動性を有するモバイルサイバー物理的システムは、サイバー物理的システムのサブカテゴリーである。モバイル物理的システムの例は、人間又は動物により搬送されるモバイルロボット及び電子装置を含む。
【００３８】
通信システム開発の１つのターゲットは、最も挑戦的な使用ケースでもボトルネックとならない無線インターフェイスを提供することである。解決すべき１つの問題は、装置のコストを低く保ちながら高いデータレートを達成して、システムの高速手順応答時間（例えば、高速ウェイクアップ及び停止、高速リンク再構成）、クラウド又は触覚インターネットにおけるマシン及びオブジェクトのリモートコントロールのような全く新しい範囲の使用ケースを保証するのに重要なレイテンシーである。別のターゲットは、微妙なパーソナルデータを保護するだけでなく、システムに偽の情報を挿入することから安全性も与えるためのセキュリティである。これは、乗物安全性において重要である。
【００３９】
以下、ユーザデバイスのネットワーク接続準備に適した実施形態を詳細に開示する。幾つかの実施形態は、レイテンシーを重要視するオペレーションに更に適したセキュリティオペレーションで無線接続再開を可能にするオプションを提供する。
【００４０】
低アクティビティ状態とは、典型的に、ユーザデバイスが無線アクセスネットワークに接続されたが、アクティブではなく、即ち例えば、データを送信も受信もしない状態（インアクティブであるが、無線リソース制御（ＲＲＣ）接続という意味で接続された状態）をいう。又、低アクティビティ状態は、エネルギー節約状態でもあり、例えば、関連サービスがマシンタイプの通信を使用するか、又は当該装置がスマートメータリングデバイスのような「モノのインターネット」装置であるときがそうである。低アクティビティ状態は、低アクティビティ状態の概念に関して参考としてここに取り上げるＰＣＴ／ＥＰ２０１６／０５０７０８に記載された低アクティビティ状態である。
【００４１】
無線接続再開とは、低アクティビティ状態からデータ送信のためのアクティブ状態又は接続状態へ状態変更をなすときに「ウェイクアップ」するか或いはユーザデバイスの無線接続を更新又は再スタートすることを意味する。「中止された」（解除されていない）接続は再開でき、新たな接続を要求する必要はない（要求できるが）ことを理解されたい。接続が中止された場合には、その接続に対して構成された無線リソースが解除されそして他のユーザに対して構成されてもよいが、アクセスノード（ユーザデバイスのアクティブ又は接続状態における最後のサービングノード）からコアネットワーク（Ｓ１−ｕ／Ｓ１−ｃ）への制御及びユーザプレーンにおける接続は、維持される。無線リソース接続が再開、更新又は再スタートされる場合には、無線リソース接続は、低アクティビティ期間中にアクセスノードが記憶しているユーザ識別子により、その維持された制御及びユーザプレーン接続にリンクされる。
【００４２】
図示されて以下に述べる実施形態を具現化するためのソフトウェアのコードは、当業者の範囲内に充分含まれることを理解されたい。
【００４３】
図２のブロック２００において、１つの実施形態がスタートする。この実施形態は、ユーザデバイスが低アクティビティ状態にあるときにユーザデバイスのネットワークコンテクストを記憶しない（アクセス）ノード、ホスト、サーバー等により具現化するのに適したものである。ネットワークコンテクストとは、１つの（アクティブな）ユーザデバイスに関連した情報（無線ネットワークレイヤ情報エレメント（ＩＥ））のブロックであるｅＮＢ  ＵＥコンテクストである。この情報ブロックは、ユーザデバイスに対するネットワークサービスを維持するのに必要な情報、例えば、ユーザデバイス状態情報、セキュリティ情報、能力情報、及びユーザデバイス関連論理的Ｓ１接続の識別子を含む。ネットワークコンテクストは、ユーザデバイスがＲＲＣ接続状態に入るとき、又はハンドオーバーに関連して確立される。
【００４４】
ブロック２０２において、無線接続再開要求又はネットワークコンテクスト準備要求がユーザから受信される。無線接続再開要求又はネットワークコンテクスト準備要求は、ユーザデバイスのサービングノードとして動作するノードの情報を含む。サービングノードは、低アクティビティ状態中にユーザデバイスのネットワークコンテクストを記憶する。サービングノードは、それがアクティブな状態又は接続状態にあった間の、即ち低アクティビティ状態に入る前の、ユーザデバイスの最後のサービングノードでもよいし、或いはネットワークコンテクストを記憶するための責任が、例えば、低アクティビティ状態にある間にユーザデバイスにより実行されるセル変更に基づいて別のノードへ移管されてもよい。ユーザデバイスのサービングノードとして動作するノードの情報は、ユーザ識別子と同等の識別子である。
【００４５】
無線接続再開要求又はネットワークコンテクスト準備要求は、ユーザ識別子及び認証トークンのような認証情報を含んでもよい。ユーザ識別子は、再開されるべき無線接続を、維持された制御及びユーザプレーン接続にリンクするために使用されるユーザ識別子と同じでもよいし、或いは無線接続再開のために確立される一時的なものでもよい。認証情報は、ユーザデバイスの検証に使用することができる。認証トークンは、ユーザデバイスが低アクティビティ状態に入ることに関連してサービングノードにより生成される（そしてユーザデバイスに通知される）。或いは又、ネットワークがＮＣＣ値をＵＥへ送信し、そしてＵＥが、その受信したＮＣＣ値に基づきトークン導出のための正しい入力を選択することにより、ショートＭＡＣと同じ又は同様の認証トークンを準備してもよい。又、既存の認証情報がもし入手できれば、それを使用することも任意である。更に、無線接続再開要求又はネットワークコンテクスト準備要求は、要求の原因（無線接続再開、ネットワークコンテクスト準備、位置更新、等）を含んでもよい。認証情報は、セル特有、ノード特有、又はトラッキングエリア特有のものでよい。
【００４６】
又、ユーザデバイスのサービングノードとして動作するノードの情報、例えば、ノード識別子、及びユーザ識別子を再開識別子として合成するのも任意である。そのような再開識別子は、ネットワークが再開識別子からサービングノード識別子及び／又はユーザ識別子を抽出できるように生成されてもよい。
【００４７】
一実施形態において、送信に必要な無線リソースを得るために無線接続再開要求又はネットワークコンテクスト準備要求を送信する前にランダムアクセス手順（ＬＴＥの場合のような）が実行される。このランダムアクセス手順では、ユーザデバイスは、それが低アクティビティ状態に入る前に使用した暗号キーを使用することができる。
【００４８】
ブロック２０４において、ネットワークノードがサービングノードとして動作するノードでない場合には、ユーザデバイスのネットワークコンテクスト情報のためのネットワークコンテクスト要求が、サービングノードとして働くノードへ送信され、そしてネットワークコンテクスト情報が受信される。
【００４９】
サービングノードは、サービングノードの動作又は特性に関して参考としてここに取り上げるＰＣＴ／ＥＰ２０１６／２０１６／０５０７０８に述べられたネットワークコンテクストを記憶するノードである。
【００５０】
認証情報は、ユーザデバイスのネットワークコンテクストに関連してユーザデバイスの検証に使用されるべきネットワークコンテクスト要求の一部分としてサービングノードへ転送される。又、ユーザデバイスの位置情報は、サービングノードがユーザデバイスの位置を更新する順番でネットワークコンテクスト要求の一部分としてサービングノードへ転送される。加えて、アクティブ状態又は接続状態へのユーザデバイスの状態変更に関する情報は、ネットワークコンテクスト要求の一部分として搬送されてもよい。
【００５１】
受信されるネットワークコンテクストは、データ送信のための、例えば、ユーザデータを暗号化するためのセキュリティ情報を含む。セキュリティ情報は、セキュリティコンテクストであり、そして更に、セキュリティ識別子でもある。セキュリティ識別子は、再開されるべき無線接続を、維持された制御及びユーザプレーン接続にリンクするために使用されるユーザ識別子と同じでもよいし、或いは特殊目的のセキュリティ識別子でもよい。このセキュリティコンテクストは、ユーザデバイス及びサービングノードノードにローカルに確立される状態である進化型パケットシステム（ＥＰＳ）セキュリティコンテクスト（ＬＴＥの場合のような）でよい。このＥＰＳセキュリティコンテクストは、ＥＰＳ非アクセス層（ＮＡＳ）セキュリティコンテクスト及びＥＰＳアクセス層（ＡＳ）セキュリティコンテクストを含む。別の選択肢は、識別子を伴うＡＳレベルの暗号キー、次のホップパラメータ（ＮＨ）、次のホップアクセスキー導出に使用される次のホップチェーンカウンタパラメータ（ＮＣＣ）、再生保護に使用される選択されたＡＳレベル暗号アルゴリズム及びカウンタの識別子を含むＥＰＳ  ＡＳセキュリティコンテクストである。暗号キーは、ユーザデータを暗号化するのに使用されるキーＫ＿ＵＰ＿ｅｎｃ、及びユーザデバイスとアクセスノードとの間のＲＲＣシグナリングメッセージの完全保護及び暗号化に使用されるキー、例えば、Ｋ＿ＲＲＣ＿ｉｎｔ及びＫ＿ＲＲＣ＿ｅｎｃを指す。これらのキーは、全て、Ｋ＿ｅＮＢから導出することができる。１つ以上のセキュリティ又は暗号キー或いは暗号アルゴリズムのようなセキュリティ情報は、例えば、セル特有、アクセスノード特有、又はトラッキングエリア特有である。暗号アルゴリズム等は、ＬＴＥ等に使用されるものと同様に選択できることを理解されたい。
【００５２】
１つの実施形態において、ユーザデバイスは、低アクティビティ状態での移動中に異なるセル及びノードに関連してコンテクスト情報の準備を実施する。一例において、ユーザデバイスは、最後のサービングセル以外の、サービングノードにより形成される別のセルをそれが選択するとき、その選択されたセルに関連したネットワークコンテクスト準備要求を送信する。準備されたコンテクストは、データ送信に必要な情報、例えば、セル特有の中間キーを含む。ユーザデバイスは、セル特有の中間キーの準備に使用されるＮＣＣパラメータ値について通知される。準備されたコンテクストは、選択されたセルに特有の認証トークンを含む。中間キー及び／又はトークン準備は、ＬＴＥの場合と同様に実行される。ユーザデバイスは、選択されたキーに関連したコンテクストをそれが既に有する場合には、ネットワークコンテクスト準備要求を送信しない。
【００５３】
別の例では、ユーザデバイスは、サービングノード以外のノードにより形成されるセルをそれが選択するときにネットワークコンテクスト準備要求を送信する。準備されたコンテクストは、データ送信に必要な情報、例えば、セル又はノード特有の中間キーを含む。ユーザデバイスは、中間キーの準備に使用されるＮＣＣパラメータ値について通知される。準備されたコンテクストは、選択されたセル／ノードに特有の認証トークンを含む。中間キー及び／又はトークンの準備は、ＬＴＥの場合と同様に実行される。ユーザデバイスは、選択されたキーに関連したコンテクストを既に有している場合には、ネットワークコンテクスト準備要求を送信しなくてもよい。
【００５４】
ユーザデバイスは、準備された多数のネットワークコンテクストを有することを理解されたい。準備されたネットワークコンテクストの数は、ユーザデバイス及び／又はネットワークにおけるメモリスペース要求のために制限される。ユーザデバイスが、送信すべきデータ、及び選択されたセル／ノードのための準備されたコンテクストを有するときは、準備されたコンテクストは、無線接続再開に使用される。準備されたコンテクストが認証トークンを有する場合には、ユーザは、その認証トークンを使用して検証される。さもなければ、サービングノードに関連した認証トークンは、ユーザデバイスの検証に使用され、そしてユーザデバイスの検証は、サービングノードにより実行される。
【００５５】
別の実施形態では、サービングアクセスノード変更が行われ、この場合、新たなサービングノードがユーザデバイスのネットワークコンテクストの記憶をスタートする。サービングノード変更は、ネットワークコンテクストの受信に関連して運ばれる情報に基づき、又は個別のシグナリングメッセージにより、アクセスノード間で実行される。ｃ及びｕの両プレーン接続は、ノード間ハンドオーバーと同様に新たなサービングアクセスノードに対してコアネットワークと協働して切り換えられる。サービングノードが変更される場合には、新たなサービング（アクセス）ノードは、コアネットワークとのシグナリングで、１つ以上の暗号アルゴリズムのようなセキュリティ情報を更新する。
【００５６】
サービングノードが変更されない場合には、コアネットワークの助けなしに、セキュリティ情報を更新することができる。ユーザデバイスの移動が低アクティビティ状態の間にサービングノードのセルに限定される場合には、暗号アルゴリズムを変更しなくてよいことを理解されたい。しかしながら、最後のサービングセル以外のサービングノードのセルから再開要求又はコンテクスト準備要求が送信される場合には、セキュリティキーは、典型的に、セル特有のセキュリティキーを使用する場合、例えば、次のように更新されねばならない。即ち、サービングノードは、ＮＣＣ値を中間キーＫ＿ｅＮＢ＊導出のためユーザデバイスへ送信する。ユーザデバイスは、（低アクティビティ状態に入る前に使用される）Ｋ＿ｅＮＢ（受信されたＮＣＣが、ユーザデバイスが有するものと同じである場合）、及びおそらく他のセル特有入力、例えば、ターゲット物理的セルアイデンティティ（ＰＣＩ）、等も使用して、Ｋ＿ｅＮＢ＊を導出する。
【００５７】
ブロック２０６において、無線接続再開要求又はネットワークコンテクスト準備要求に対する応答がユーザデバイスへ送信される。その応答は、データ送信に必要な情報を含む。
【００５８】
データ送信に必要な情報は、早期に構成されたリソースが解除された場合には、新規な無線リソース構成である。又、それは、セキュリティ情報も含み、典型的に、それが更新された場合には１つ以上の暗号アルゴリズムも含む。典型的に、中間キーは、ノードとユーザデバイスとの間に送信されず、むしろ、ユーザデバイスにより中間キーを導出するところのＮＣＣパラメータ等が送信される。セキュリティ情報は、ネットワークコンテクスト準備要求に対する応答において送信され、これは、無線接続再開要求に対する応答においてそれを送信することのオプションとして行われる。セキュリティ情報は、無線接続再開の一部分として更新されるが、この場合、更新されたセキュリティ情報は、無線接続再開要求に対する応答の一部分として送信されることを理解されたい。
【００５９】
ブロック２０８には別のオプションが示されている。ブロック２０８において、ユーザデバイスのネットワークコンテクスト情報のためのネットワークコンテクスト要求が送信され、そしてネットワークコンテクスト情報が受信されて、ユーザデバイスが低アクティビティ状態にある間、記憶される。
【００６０】
このオプションにおいて、ユーザデバイスは、低アクティビティ状態にあり、そしてユーザデバイスが位置するエリアのノード（アクセスノード、ネットワークノード）は、ユーザデバイスが低アクティビティ状態に入るときにユーザデバイスにサービスしていたノード（ユーザデバイスのネットワークコンテクストを記憶している）へネットワークコンテクスト要求を送信する。ユーザデバイスが位置するエリアのノードは、例えば、セル変更に関してユーザデバイスが実行する位置更新に基づきユーザデバイスの位置が分かる。位置更新又は位置情報は、それにコンタクトできる他のノードに対してユーザデバイスネットワークコンテクストを記憶しているノードのアイデンティティの情報を含む。位置情報は、この要旨に関する参考としてここに取り上げるＰＣＴ／ＥＰ２０１６／０５０７０８に述べたように送信又は更新される（例えば、セル変更に関する情報）。ノードは、ネットワークコンテクストを受信し、そしてそれを考えられる中間使用又はその後の使用のために記憶する。このように、ネットワークコンテクスト（及びセキュリティ情報）は、無線接続再開が完了したとき（サービングノードから現在ノードへのコンテクスト転送が「無線接続再開要求」の一部分として実行される場合）、又はユーザデバイスが無線接続再開要求を現在ノードへ後で送信するとき（サービングノードから現在ノードへのコンテクスト転送が「ネットワークコンテクスト準備要求」の一部分として実行される場合）、使用準備が整う。ネットワークコンテクストは、ノード特有又はセル特有である。又、例えば、エリアに充分な小型セルがある場合に、１つのノードが複数のノードに対してネットワークコンテクスト準備を取り扱い、この場合、ネットワーク接続は、トラッキングエリア特有であるか又はセルグループ特有である（例えば、同じマクロセルの下にある小型セルに対して有効）ことも考えられる。ユーザデバイスのネットワークコンテクストの受信に対する応答として、サービングノードへ確認メッセージが送信される。この実施形態は、ブロック２１０で終了する。この実施形態は、多数の仕方で繰り返される。その一例が図２に矢印２１２で示されている。この実施形態は、一回以上繰り返されてもよいが、個々のラウンド間に一定の又は可変の休止を伴うことを理解されたい。
【００６１】
図３のブロック３００において別の実施形態がスタートする。この実施形態は、ユーザデバイスが低アクティビティ状態にあるときにユーザデバイスのネットワークコンテクストを記憶する（アクセス）ノード、ホスト、サーバー等（サービングノードと称される）により実施されるのに適している。ネットワークコンテクストは、１つの（アクティブな）ユーザデバイスに関連した情報（無線ネットワークレイヤ情報エレメント（ＩＥ））のブロックであるｅＮＢ  ＵＥコンテクストである。この情報のブロックは、ユーザデバイスへのネットワークサービスを維持するのに必要な情報、例えば、ユーザデバイス状態情報、セキュリティ情報、能力情報、及びユーザデバイス関連論理的Ｓ１接続のアイデンティティを含む。ネットワークコンテクストは、ユーザデバイスがＲＲＣ接続に入るとき、又はハンドオーバーに関連して、確立される。
【００６２】
サービングノードは、ユーザデバイスがアクティブな状態又は接続状態にあった間の、即ち低アクティビティ状態に入る前の、ユーザデバイスの最後のサービングノードであり、或いはネットワークコンテクストを記憶する責任は、例えば、低アクティビティ状態にある間にユーザデバイスにより実行されるセル変更に基づいて、別のノードへ移管されてもよい。
【００６３】
ブロック３０２において、無線接続再開要求は、ユーザデバイスのネットワークコンテクスト情報を記憶するノードによりユーザデバイスから受信される。
【００６４】
ブロック３０２において、ユーザデバイスは、ネットワークコンテクスト情報に関連した認証情報で検証される。認証情報は、ユーザ識別子及び認証トークンを含む。ユーザ識別子は、再開されるべき無線接続を、維持された制御及びユーザプレーン接続にリンクするために使用されるユーザ識別子と同じでもよいし、或いは無線接続再開のために確立される一時的なものでもよい。認証トークンは、ユーザデバイスが低アクティビティ状態に入ることに関連してサービングノードにより生成される（そしてユーザデバイスに通知される）。
【００６５】
ブロック３０６において、無線接続再開要求に対する応答がユーザデバイスへ送信される。この応答は、データ送信に必要な情報を含む。
【００６６】
データ送信に必要な情報は、早期に構成されたリソースが解除された場合には、新規な無線リソース構成である。又、それは、セキュリティ情報も含み、典型的に、それが更新された場合には１つ以上の暗号アルゴリズムも含む。典型的に、暗号キーは、ノードとユーザデバイスとの間に送信されず、むしろ、ユーザデバイスにより暗号キーを導出するところの中間キーが送信される。
【００６７】
ブロック３０８において別のオプションがスタートし、ユーザデバイスのネットワークコンテクスト情報のためのネットワークコンテクスト要求が要求側ノードから受け取られる。
【００６８】
ネットワークコンテクスト要求は、ユーザ識別、認証情報（それを発生したサービングノードに記憶されていない場合は、手順が交渉されるか又は事前に特定される）、再開の原因、要求側ノードのアイデンティティ、及び／又はトラッキングエリアの情報を含む。認証情報は、ユーザデバイスの認証において、ユーザデバイスのネットワークコンテクストに関連して使用される。又、ユーザデバイスの位置情報は、サービングノードがユーザデバイスの位置を更新する順番でネットワークコンテクスト要求の一部分としてサービングノードへ転送される。加えて、アクティブ状態又は接続状態へのユーザデバイスの状態変更に関する情報は、ネットワークコンテクスト要求の一部分として搬送される。
【００６９】
ブロック３１０において、ユーザデバイスは、ネットワークコンテクスト情報に関連した認証情報で検証される。
【００７０】
又、要求されるノードは、キャリアアグリゲーション、マルチリンク接続のための二次アクセスノードとして、或いはリレーノードして動作するように構成されてもよく、この場合には、ユーザデバイスのネットワークコンテクストデータの一部分しか必要とせず、そして最後のサービングノードは、「全」ネットワークコンテクストデータを維持する一次アクセスノードとして動作する。要求側ノードが二次ノードとして構成される場合は、セキュリティ情報がコアネットワークとは独立して更新される。
【００７１】
ネットワークコンテクストを記憶するノードは、特に、サービング（アクセス）ノードにより形成される１つ以上のセル又はそれが定義するトラッキングエリアでしかセキュリティ情報が使用できないときは、コアネットワークとのシグナリングなしに、コアネットワークとは独立して、１つ以上の暗号アルゴリズムのようなセキュリティ情報を更新する。セキュリティ情報の例は、図２に関連して前記で詳細に述べた。ネットワークコンテクストを記憶するサービングノード又はノードのオペレーション又は特性に関連してＰＣＴ／ＥＰ２０１６／０５０７０８を参考としてここに取り上げる。
【００７２】
ブロック３１２において、データ送信のためのセキュリティ情報を含むネットワークコンテクスト情報が要求側ノードへ送信される。
【００７３】
セキュリティ情報は、典型的に、１つ以上の暗号アルゴリズム或いはセキュリティ又は暗号キーを含む。セキュリティ情報及びセキュリティ情報の更新についての詳細は、図２を参照して上述した。セキュリティ情報は、典型的に、セル、ノード又はトラッキングエリア特有である。Ｓ１−ｕ／Ｓ１−ｃ接続の情報も、この接続において搬送される。
【００７４】
又、ネットワークコンテクスト情報を記憶する義務は、新たなサービングノードを形成するために要求側ノードへ移管されることも考えられ、元のサービングノードが無線アクセスネットワーク（ＲＡＮ）を固定のままとする間に二次的又は支援ノードとしてそれを構成するのではない。サービングノードの変更は、ネットワークコンテクストの受信に関連して運ばれる情報に基づき、又は個別のシグナリングメッセージにより、アクセスネットワーク間で実行される。ｃ及びｕの両プレーン接続は、ノード間ハンドオーバーの場合と同様に新たなサービングアクセスノードに対してコアネットワークと協働して切り換えられる。無線接続再開要求（ブロック３０２）及び／又はネットワークコンテクスト要求（３０８）は、ユーザデバイスのネットワークコンテクスト情報を記憶する義務の変更の判断実行に使用され及び／又は記憶されるユーザデバイス位置情報を含む。
【００７５】
この実施形態は、ブロック３１４で終了する。この実施形態は、何回も繰り返すことができる。１つの例が図３において矢印３１６で示されそして別の例が矢印３１８で示されている。この実施形態は、一回以上繰り返されてもよく、個別のラウンド間に一定の又は可変の休止を伴うことを理解されたい。
【００７６】
更に別の実施形態が図４のブロック４００において開始される。この実施形態は、低アクティビティ状態にあって、送信されるべきデータを有する（サービスを利用する必要性もある）ユーザデバイス等により具現化されるのに適している。
【００７７】
ブロック４０２において、低アクティビティ状態にあるセルが選択される。
【００７８】
典型的に、ユーザデバイスは、各ノードが送信するブロードキャスト信号に対してなされる無線測定に基づいて適当なセルを選択する。セルの選択において無線チャンネルのクオリティは重要なファクタである。ユーザデバイスは、低アクティビティ状態において無線測定を実行するように構成される。
【００７９】
ブロック４０４において、選択されたセルが低アクティビティ状態への状態変更を実行する間にサービングセルと同じである場合には、無線接続再開要求がその選択されたセルへ送信される。
【００８０】
無線接続再開要求は、ユーザ識別子及び認証トークンのような認証情報を含む。ユーザ識別子は、再開されるべき無線接続を、維持された制御及びユーザプレーン接続にリンクするために使用されるユーザ識別子と同じでもよいし、或いは無線接続再開のために確立される一時的なものでもよい。認証情報は、ユーザデバイスの検証に使用することができる。認証トークンは、ユーザデバイスが低アクティビティ状態に入ることに関連してサービングノードにより生成される（そしてユーザデバイスに通知される）。又、無線接続再開要求は、低アクティビティ状態への状態変更の前にユーザデバイスに最後にサービスするアクセスノードの識別も含む。ユーザデバイスは、この識別を、状態変更に関するシグナリングの一部分として得る。無線接続再開要求は、ユーザ識別も含み、再開要求のための原因も含まれる。
【００８１】
ブロック４０６において、選択されたセルが低アクティビティ状態への状態変更を実行する間にサービングセルとは別のセルである場合は、ユーザデバイスの位置に関する情報を含む無線接続再開要求がその選択されたセルへ送信される。
【００８２】
ブロック４０８において、無線接続再開要求に対する応答として、無線接続再開応答が受け取られる。
【００８３】
無線接続再開要求に対する応答は、早期に構成されたリソースが解除された場合には、新たな無線リソース構成を含む。又、それは、典型的に、１つ以上の暗号アルゴリズム、或いはセキュリティ又は暗号キーを含むセキュリティ情報も含む。セキュリティ情報の詳細は、図２に関連して上述した。セキュリティ情報は、典型的に、セル、ノード又はトラッキングエリア特有のものである。典型的に、中間キーは、ノードとユーザデバイスとの間で送信されず、むしろ、ユーザデバイスにより中間キーを導出するところのＮＣＣパラメータ等が送信されることを理解されたい。別のオプション（ブロック４０６ａ）において、選択されたセルが、低アクティビティ状態への状態変更を実行する間にサービングセルではない別のセルである場合には、その選択されたセルへ無線接続再開要求を送信する前に、ネットワークコンテクスト準備要求がその選択されたセルへ送信され、そしてネットワークコンテクスト準備要求に対する応答が受け取られる。この応答は、データ送信のためのセキュリティ情報を含む。セキュリティ情報は、無線接続再開の一部分として更新され、この場合に、更新されたセキュリティ情報は、無線接続再開要求に対する応答の一部分として送信されることを理解されたい。ブロック４１０において、データ送信のための無線接続再開が実行される。
【００８４】
無線接続再開とは、低アクティビティ状態からデータ送信のためのアクティブ状態又は接続状態へ状態変更をなすときに「ウェイクアップ」するか或いはユーザデバイスの無線接続を更新又は再スタートすることを意味する。「中止された」（解除されていない）接続は再開でき、新たな接続を要求する必要はない（要求できるが）ことを理解されたい。接続が中止された場合には、その接続に対して構成された無線リソース（無線ベアラのような）が解除されそして他のユーザに対して構成されてもよいが、アクセスノード（ユーザデバイスのアクティブ又は接続状態における最後のサービングノード）からコアネットワーク（Ｓ１−ｕ／Ｓ１−ｃ）への制御及びユーザプレーンにおける接続は、維持される。無線リソース接続が再開、更新又は再スタートされる場合には、無線リソース接続は、低アクティビティ期間中にアクセスノードが記憶しているユーザ識別子により、その維持された制御及びユーザプレーン接続にリンクされる。無線ベアラは、例えば、ＬＴＥの場合と同様に再開され又は再構成される。
【００８５】
この実施形態は、ブロック４１２において終了する。この実施形態は、何回も繰り返すことができる。１つの例が図４において矢印４１４で示されている。この実施形態は、一回以上繰り返されてもよく、個別のラウンド間に一定の又は可変の休止を伴うことを理解されたい。
【００８６】
以下、図２から４により上述された実施形態の幾つかの例を、図５Ａ、５Ｂ及び５Ｃのシグナリングチャートにより説明する。図５Ａは、ユーザデバイス（ＵＥ）がデータ送信のために無線接続再開要求を送信する例を示す。
【００８７】
ユーザデバイスは、データ送信の必要性を決定し、そしてセル選択のため近傍のアクセスノード（１つが示されている、ＡＰ）のブロードキャストチャンネルへの聴取をスタートする。ブロードキャスト情報は、典型的に、公衆地上移動ネットワーク（ＰＬＭＮ）アイデンティティ、トラッキングエリアコード、セルアイデンティティ、等を含む。ユーザデバイスは、適当なセルを見つけると、その状態を接続状態へ変更する。典型的に、ユーザデバイスは、各ノードが送信するブロードキャスト信号に対してなされる無線測定に基づいて適当なセルを選択する。無線チャンネルのクオリティは、セルの選択において重要なファクタである。ユーザデバイスは、低アクティビティ状態において無線測定を実行するように構成される。
【００８８】
ＬＴＥのＲＡＣＨ手順のようなランダムアクセス手順が、（ＲＲＣ再開要求のような）無線接続再開要求を送信するためのリソースを得るため実行される。ユーザデバイスは、その選択されたアクセスノード／ネットワークノード（ＡＰ）へ無線接続再開要求を送信する。
【００８９】
ネットワークノードは、それがサービングノードとして動作するノードでない場合は、サービングノードとして動作するノードへネットワークコンテクスト要求を送信する。サービングノードは、低アクティビティ状態の間にユーザデバイスのネットワークコンテクストを記憶する。サービングノードは、ユーザデバイスがアクティブな状態又は接続状態にあった間の、即ち低アクティビティ状態に入る前の、ユーザデバイスの最後のサービングノードであり、或いはネットワークコンテクストを記憶する責任は、例えば、低アクティビティ状態にある間にユーザデバイスにより実行されるセル変更に基づいて、別のノードへ移管されてもよい。サービングノードは、ネットワークコンテクストに関連した認証情報でユーザデバイスを検証する。認証情報は、ユーザ識別子及び認証トークンを含む。ユーザ識別子は、再開されるべき無線接続を、維持された制御及びユーザプレーン接続にリンクするために使用されるユーザ識別子と同じでもよいし、或いは無線接続再開のために確立される一時的なものでもよい。認証トークンは、ユーザデバイスが低アクティビティ状態に入ることに関連してサービングノードにより生成される（そしてユーザデバイスに通知される）。サービング（アクセス／ネットワーク）ノードは、コンテクスト情報を準備し、そしてユーザデバイスが選択したノードへネットワークコンテクスト情報を送信し、そのノードは、次いで、確認（ＡＣＫ／ＮＡＫ）メッセージで応答する。選択されたノード（アクセス／ネットワークノード）は、無線接続再開完了又は他の応答メッセージをユーザデバイスへ送信し、そしてユーザデバイスは、無線接続再開（又は確立）手順を実行し、その後、ユーザデバイスは、ネットワークへの無線リンク接続を有する。
【００９０】
ユーザデバイスが低アクティビティ状態にある間、コアネットワークへの接続（例えば、Ｓ１＊−ｕ／Ｓ１＊−ｃ）が維持されることを理解されたい。
【００９１】
図５Ｂは、ユーザデバイス（ＵＥ）がデータ送信のためにネットワークコンテクスト準備要求を送信する例を示す。ユーザデバイスは、例えば、セル変更のために、データ送信の必要性又はネットワークコンテクスト更新の必要性を決定し、そしてセル選択のために近傍のアクセスノード（１つが示されている、ＡＰ）のブロードキャストチャンネルへの聴取をスタートする。ブロードキャスト情報は、典型的に、公衆地上移動ネットワーク（ＰＬＭＮ）アイデンティティ、トラッキングエリアコード、セルアイデンティティ、等を含む。典型的に、ユーザデバイスは、各ノードが送信するブロードキャスト信号に対してなされる無線測定に基づいて適当なセルを選択する。無線チャンネルのクオリティは、セルの選択において重要なファクタである。ユーザデバイスは、低アクティビティ状態において無線測定を実行するように構成される。
【００９２】
ＬＴＥのＲＡＣＨ手順のようなランダムアクセス手順が、データ送信のためのネットワークコンテクスト準備要求（図中のコンテクスト準備要求）を送信するためのリソースを得るため実行される。ユーザデバイスは、その選択されたアクセスノード／ネットワークノード（ＡＰ）へその要求を送信する。
【００９３】
ネットワークノードは、それがサービングノードとして働くノードではない場合には、サービングノードとして動作するノードへネットワークコンテクスト（準備）要求を送信する。サービングノードは、低アクティビティ状態の間にユーザデバイスのネットワークコンテクストを記憶する。サービングノードは、それがアクティブな状態又は接続状態にあった間の、即ち低アクティビティ状態に入る前の、ユーザデバイスの最後のサービングノードでもよいし、或いはネットワークコンテクストを記憶するための責任が、例えば、低アクティビティ状態にある間にユーザデバイスにより実行されるセル変更に基づいて別のノードへ移管されてもよい。
【００９４】
サービングノードは、ネットワークコンテクストに関連した認証情報でユーザデバイスを検証する。認証情報は、ユーザ識別子及び認証トークンを含む。ユーザ識別子は、再開されるべき無線接続を、維持された制御及びユーザプレーン接続にリンクするために使用されるユーザ識別子と同じでもよいし、或いは無線接続再開のために確立される一時的なものでもよい。認証トークンは、ユーザデバイスが低アクティビティ状態に入ることに関連してサービングノードにより生成される（そしてユーザデバイスに通知される）。サービング（アクセス／ネットワーク）ノードは、コンテクスト情報を準備し、そしてユーザデバイスが選択したノードへネットワークコンテクスト情報を送信し、そのノードは、次いで、確認（ＡＣＫ／ＮＡＫ）メッセージで応答する。コンテクスト（準備）応答は、（更新された）セキュリティ情報を含む。
【００９５】
ユーザデバイスは、コンテクスト情報準備／転送が既に行われていることを除いて、図５に示すものと同様の無線接続再開手順を実行する。それ故、無線接続再開手順は、選択された（アクセス／ネットワーク）ノードとユーザデバイスとの間でローカルに実行される（無線接続再開要求、無線接続再開完了）。無線接続再開手順は、コンテクスト準備のために連続的に実行されるか、或いはデータ送信を直ちに必要とせずにセル変更又は別の対応する理由によりコンテクスト準備がスタートされた場合には、ユーザデバイスは、データ送信の必要性が後で決定される場合だけ、無線接続再開手順を実行する。ユーザデバイスは、新たなセル変更を実行し、そして更新されたネットワークコンテクストを使用せずに、新たなセルにおいてネットワークコンテクスト準備を繰り返すことが考えられる。ネットワークコンテクストは、ノード特有、セル特有、又はトラッキングエリア特有であり、従って、ネットワークコンテクストは、１つのセル、同じ（アクセス、ネットワーク）ノードにより形成される複数のセル、又は異なるノードにより形成される複数のセルに対して有効である。
【００９６】
図５Ｃは、ユーザデバイス（ＵＥ）が低アクティビティ状態にあり、そして低アクティビティ状態にある間にその位置を変更し、そして今やアクセスノードＡＰのカバレージエリアの下にある例を示している。
【００９７】
アクセスノードＡＰは、ユーザデバイスのネットワークコンテクストをもたないことを決定し、そしてユーザデバイスが低アクティビティ状態に入ったときにユーザデバイスにサービスしていたノード（ユーザデバイスのネットワークコンテクストを記憶する）へ自ら進んでネットワークコンテクスト要求を送信する。ユーザデバイスが位置するエリアのノードは、例えば、セル変更に関してユーザデバイスが実行する位置更新に基づきユーザデバイスの位置が分かる。位置更新又は位置情報は、ユーザデバイスのネットワークコンテクストを記憶しているノードのアイデンティティの情報を含む。
【００９８】
サービングＡＰは、ネットワークコンテクストに関連した認証情報でユーザデバイスを検証する。認証情報は、ユーザ識別子及び認証トークンを含む。ユーザ識別子は、再開されるべき無線接続を、維持された制御及びユーザプレーン接続にリンクするために使用されるユーザ識別子と同じでもよいし、或いは無線接続再開のために確立される一時的なものでもよい。認証トークンは、ユーザデバイスが低アクティビティ状態に入ることに関連してサービングノードにより生成される（そしてユーザデバイスに通知される）。
【００９９】
サービングＡＰは、ネットワークコンテクストを準備する。ネットワークコンテクストは、ノード特有又はセル特有である。又、例えば、エリアに充分な小型セルがある場合には、１つのノードが複数のノードに対してネットワークコンテクスト準備を取り扱い、この場合、ネットワーク接続は、トラッキングエリア特有であるか又はセルグループ特有である（例えば、同じマクロセルの下にある小型セルに対して有効）ことも考えられる。
【０１００】
ノードは、ネットワークコンテクスト（コンテクスト準備応答）を受け取り、そしてそれを考えられるその後の使用のために記憶する。ノードは、コンテクスト確認メッセージを送信する。
【０１０１】
ユーザデバイスは、それがデータ送信の必要性を決定した場合には、コンテクスト情報準備／転送が既に処理されていることを除いて、図５Ａに示されたものと同様の無線接続再開手順を実行する。それ故、無線接続再開手順は、選択された（アクセス／ネットワーク）ノードと、ユーザデバイスとの間でローカルに実行される（無線接続再開要求、無線接続再開完了）。無線リソースは、無線アクセス手順（ブロードキャスト情報、ランダムアクセス）により得られる。
【０１０２】
送信、受信、等は、本明細書では、アプリケーションに応じて、（送信のためのデータの準備のような）送信の準備、送信又は受信の制御又は発生、或いは物理的送信又は受信の実施（例えば、無線部又はリモート無線ヘッドを経ての）を意味することを理解されたい。
【０１０３】
一実施形態は、図４に関連して上述したプロセスを実行できるユーザデバイス又は他の適当な装置のような装置を提供する。
【０１０４】
この装置は、制御ユニット、１つ以上のプロセッサ、或いは図４を参照して述べた実施形態によるオペレーションを実行できる他のエンティティを備えるか、さもなければ、それと通信することが明らかである。図４のフローチャートの各ブロック、及びその組み合せは、ハードウェア、ソフトウェア、ファームウェア、１つ以上のプロセッサ及び／又は回路のような種々の手段又はそれらの組み合せにより具現化されることを理解されたい。
【０１０５】
図６は、図４に関連した実施形態による装置の簡単なブロック図である。
【０１０６】
一実施形態による装置の一例として、ユーザデバイスのような装置６００が示されており、これは、図４の実施形態の機能を実行するための制御ユニット又は回路／回路６０４（例えば、１つ以上のプロセッサを含む）におけるファシリティを備えている。それらのファシリティは、以下に詳細に述べるように、ソフトウェア、ハードウェア又はその組み合せである。
【０１０７】
図６において、ブロック６０６は、通常、無線フロントエンド、ＲＦ部、無線部、リモート無線ヘッド、等と称される、受信及び送信に必要な部分／ユニット／モジュールを含む。受信及び送信に必要な部分／ユニット／モジュールは、装置に含まれてもよいし、或いは装置の外部に配置されて、装置がそれらに作動的に結合されてもよい。又、装置は、１つ以上の内部又は外部メモリユニットを備えてもよく又はそれらに結合されてもよい。
【０１０８】
装置６００の別の例は、少なくとも１つのプロセッサ６０４、及びコンピュータプログラムコードを含む少なくとも１つのメモリ６０２を備え、少なくとも１つのメモリ及びコンピュータプログラムコードは、少なくとも１つのプロセッサとで、装置が、少なくとも、低アクティビティ状態のセルを選択し；その選択されたセルが、低アクティビティ状態への状態変更を実行する間にサービングセルと同じである場合には、その選択されたセルへ無線接続再開要求を送信し；その選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信し；無線接続再開要求に対する応答として無線接続再開要求応答を受信し、及びデータ送信のための無線接続再開を実行する、ようにさせるよう構成される。この装置は、送信及び／又は受信に又はそのために使用される無線部又は無線ヘッドのような他のユニット又はモジュール等を備えるか又はそれらに結合される。これは、図６に、任意のブロック６０６として示されている。
【０１０９】
装置の更に別の例は、低アクティビティ状態のセルを選択する手段（６０４）、その選択されたセルが、低アクティビティ状態への状態変更を実行する間にサービングセルと同じである場合には、その選択されたセルへ無線接続再開要求を送信する手段（６０４、６０６）；又はその選択されたセルが、低アクティビティ状態への状態変更を実行する間にサービングセルとは別のセルである場合には、低アクティビティ状態において実行されるセル変更に関連してユーザデバイスの位置に関する情報が送信されていないとすれば、その位置に関する情報と共にその選択されたセルへ無線接続再開要求を送信する手段（６０４、６０６）；無線接続再開要求に対する応答として無線接続再開要求応答を受信する手段（６０４、６０６）、及びデータ送信のための無線接続再開を実行する手段（６０４、６０６）を備えている。
【０１１０】
この装置は、送信及び／又は受信に又はそのために使用される無線部又は無線ヘッド等の他のユニット又はモジュール等を備えるか又はそれらに結合されることを理解されたい。これは、図６に、任意のブロック６０６として示されている。又、装置は、通信インターフェイスを含むか又はそれに結合される。
【０１１１】
装置は、図６に１つのエンティティとして示されているが、１つ以上の物理的又は論理的エンティティにおいて異なるモジュール及びメモリが具現化されてもよい。
【０１１２】
一実施形態は、図２及び／又は３に関連して上述したプロセスを実行できるノード（ネットワークノード、アクセスノード）、サーバー、ホスト又は他の適当な装置である装置を提供する。この装置は、ユーザデバイスのネットワークコンテクスト情報を記憶するノード、又はユーザデバイスへ無線サービスを提供する他のノードとして動作するのに適している。
【０１１３】
この装置は、制御ユニット、１つ以上のプロセッサ、或いは図２及び／又は３を参照して述べた実施形態によるオペレーションを実行できる他のエンティティを備えるか、さもなければ、それと通信することが明らかである。図２及び／又は３のフローチャートの各ブロック、及びその組み合せは、ハードウェア、ソフトウェア、ファームウェア、１つ以上のプロセッサ及び／又は回路のような種々の手段又はそれらの組み合せにより具現化されることを理解されたい。
【０１１４】
図７は、図２及び／又は３に関連した実施形態による装置の簡単なブロック図である。
【０１１５】
一実施形態による装置の一例として、ユーザデバイスのような装置７００が示されており、これは、図２及び／又は３の実施形態の機能を実行するための制御ユニット又は回路／回路７０４（例えば、１つ以上のプロセッサを含む）におけるファシリティを備えている。それらのファシリティは、以下に詳細に述べるように、ソフトウェア、ハードウェア又はその組み合せである。
【０１１６】
図７において、ブロック７０６は、通常、無線フロントエンド、ＲＦ部、無線部、リモート無線ヘッド、等と称される、受信及び送信に必要な部分／ユニット／モジュールを含む。受信及び送信に必要な部分／ユニット／モジュールは、装置に含まれてもよいし、或いは装置の外部に配置されて、装置がそれらに作動的に結合されてもよい。又、装置は、１つ以上の内部又は外部メモリユニットを備えてもよく又はそれらに結合されてもよい。
【０１１７】
装置７００の別の例は、少なくとも１つのプロセッサ７０４、及びコンピュータプログラムコードを含む少なくとも１つのメモリ７０２を備え、少なくとも１つのメモリ及びコンピュータプログラムコードは、少なくとも１つのプロセッサとで、装置が、少なくとも、ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり；ネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び無線接続再開要求又はネットワークコンテクスト準備要求に対する応答をユーザデバイスへ送信し、その無線接続再開要求又はネットワークコンテクスト準備要求に対する応答は、データ送信に必要な情報を含むものであり；又はユーザデバイスのネットワークコンテクスト情報に対するネットワークコンテクスト要求を送信し、ユーザデバイスが低アクティビティ状態である間にネットワークコンテクスト情報を受信及び記憶する、ようにさせるよう構成され；及び／又は少なくとも１つのメモリ及びコンピュータプログラムコードは、少なくとも１つのプロセッサとで、装置が、少なくとも、ユーザデバイスのネットワークコンテクスト情報を記憶するノードにより、ユーザデバイスから無線接続再開要求を受信し；ネットワークコンテクスト情報に関連した認証情報でユーザデバイスを検証し、及び無線接続再開要求に対する応答をユーザデバイスへ送信し、その応答は、データ送信に必要な情報を含むものであり；又はユーザデバイスのネットワークコンテクスト情報を記憶するノードにより、要求側ノードからユーザデバイスのネットワークコンテクスト情報に対するネットワークコンテクスト要求を受信し；ネットワークコンテクスト情報に関連した認証情報でユーザデバイスを検証し、及びデータ送信のためのセキュリティ情報を含むネットワークコンテクスト情報を要求側ノードへ送信する、ようにさせるよう構成される。
【０１１８】
この装置は、送信及び／又は受信に又はそのために使用される無線部又は無線ヘッド等の他のユニット又はモジュール等を備えるか又はそれらに結合されることを理解されたい。これは、図７に、任意のブロック７０６として示されている。
【０１１９】
装置の更に別の例は、ネットワークノードにより、ユーザデバイスから無線接続再開要求又はネットワークコンテクスト準備要求を受信し、その無線接続再開要求又はネットワークコンテクスト準備要求は、ユーザデバイスのサービングノードとして動作するノードに関する情報を含むものであり、ネットワークノードがサービングノードとして動作するノードでない場合には、ユーザデバイスのネットワークコンテクスト情報に対するネットワークコンテクスト要求を、サービングノードとして動作するノードへ送信し、そしてネットワークコンテクスト情報を受信し、及び無線接続再開要求又はネットワークコンテクスト準備要求に対する応答をユーザデバイスへ送信し、その無線接続再開要求又はネットワークコンテクスト準備要求に対する応答は、データ送信に必要な情報を含むものである手段（７０４、７０６）；又はユーザデバイスのネットワークコンテクスト情報に対するネットワークコンテクスト要求を送信し、ユーザデバイスが低アクティビティ状態である間にネットワークコンテクスト情報を受信及び記憶する手段（７０４、７０６）；及び／又はユーザデバイスのネットワークコンテクスト情報を記憶するノードにより、ユーザデバイスから無線接続再開要求を受信する手段（７０４、７０６）、ネットワークコンテクスト情報に関連した認証情報でユーザデバイスを検証する手段（７０４）、及び無線接続再開要求に対する応答をユーザデバイスへ送信し、その応答は、データ送信に必要な情報を含むものである手段（７０４、７０６）；又はユーザデバイスのネットワークコンテクスト情報を記憶するノードにより、要求側ノードからユーザデバイスのネットワークコンテクスト情報に対するネットワークコンテクスト要求を受信する手段（７０４、７０６）；ネットワークコンテクスト情報に関連した認証情報でユーザデバイスを検証する手段（７０４）、及びデータ送信のためのセキュリティ情報を含むネットワークコンテクスト情報を要求側ノードへ送信する手段（７０４、７０６）を備えている。
【０１２０】
この装置は、送信及び／又は受信に又はそのために使用される無線部又は無線ヘッド等の他のユニット又はモジュール等を備えるか又はそれらに結合されることを理解されたい。これは、図７に、任意のブロック７０６として示されている。
【０１２１】
この装置は、図７に１つのエンティティとして示されているが、１つ以上の物理的又は論理的エンティティにおいて異なるモジュール及びメモリが具現化されてもよい。
【０１２２】
装置は、一般的に、少なくとも１つのメモリユニット（又はサービス）並びに典型的に種々のインターフェイスに作動的に結合されて前記実施形態の機能を実行するように設計された少なくとも１つのプロセッサ、コントローラ、ユニット、モジュール又は（電子）回路を備えている。回路は、ハードウェア専用の回路実施、例えば、アナログ及び／又はデジタル回路のみの実施、回路及びソフトウェア（及び／又はファームウェア）の組み合わせ、例えば、異なる種類のプロセッサ又はその一部分、ソフトウェア及び／又は回路コンポーネント、例えば、マイクロプロセッサ又はマイクロプロセッサの一部分を指す。更に、メモリユニットは、揮発性及び／又は不揮発性メモリを含む。メモリユニットは、図２、３、４及び５に関連して上述した実施形態によりプロセッサがオペレーションを遂行するためのコンピュータプログラムコード及び／又はオペレーティングシステム、情報、データ、コンテンツ、等を記憶する。メモリユニットの各々は、ランダムアクセスメモリ、ハードドライブ、等である。メモリユニットは、少なくとも部分的に除去可能であり、及び／又は装置に取り外し可能に作動的に結合される。メモリは、現在の技術的環境に適した任意のタイプでよく、そして半導体ベースの技術、フラッシュメモリ、磁気及び／又は光学メモリデバイスのような適当なデータストレージ技術を使用して具現化される。メモリは、固定型でも除去可能でもよい。
【０１２３】
この装置は、コンピュータプログラムコードで電子デバイスの特定機能を遂行する電子回路又は電子回路のシステムである。電子回路は、少なくとも１つのプロセッサと、それに加えて、少なくとも１つの内部又は外部メモリを含む。回路(circuit/circuitry)又は電子回路という語は、（ａ）ハードウェア専用の回路実施、例えば、アナログ及び／又はデジタル回路のみの実施、及び（ｂ）回路及びソフトウェア（及び／又はファームウェア）の組み合わせ、例えば（該当すれば）、（ｉ）プロセッサの組み合わせ、又は（ii）装置に種々の機能を遂行させるよう一緒に働くデジタル信号プロセッサ、ソフトウェア及びメモリを含むプロセッサ／ソフトウェアの部分、並びに（ｃ）ソフトウェア又はファームウェアが物理的に存在しなくてもオペレーションのためのソフトウェア又はファームウェアを要求するマイクロプロセッサ又はマイクロプロセッサの一部分のような回路の全部を指す。この回路(circuit/circuitry)の定義は、本明細書におけるこの用語の全ての使用に適用される。
【０１２４】
この装置は、少なくとも１つのオペレーションプロセッサにより実行される演算オペレーションとして又はプログラム（追加又は更新されたソフトウェアルーチンを含む）として構成される少なくとも１つのソフトウェアアプリケーション、モジュール、ユニット又はエンティティを備えるか又はそれらに関連付けされる。ソフトウェアルーチン、アプレット及びマクロを含めて、プログラム製品又はコンピュータプログラムとも称されるプログラムは、装置読み取り可能なデータストレージ媒体に記憶され、そしてそれらは、特定のタスクを遂行するためのプログラムインストラクションを含む。データストレージ媒体は、非一時的媒体である。又、コンピュータプログラム又はコンピュータプログラム製品は、装置にロードされてもよい。コンピュータプログラム製品は、例えば、おそらく、内部又は外部メモリを使用する１つ以上のプロセッサによりプログラムが実行されるとき、図２、３、４及び／又は５Ａ−５Ｃにより上述されたいずれかの実施形態又はその組み合わせを実行するように構成された１つ以上のコンピュータ実行可能なコンポーネントを含む。１つ以上のコンピュータ実行可能なコンポーネントは、少なくとも１つのソフトウェアコード又はその一部分である。コンピュータプログラムは、プログラミング言語又は低レベルプログラミング言語によりコード化される。
【０１２５】
実施形態の機能を具現化するのに必要な変更及び構成は、追加又は更新されるソフトウェアルーチン、アプリケーション回路（ＡＳＩＣ）及び／又はプログラム可能な回路として具現化されるルーチンとして遂行されてもよい。更に、ソフトウェアルーチンは、装置へダウンロードされてもよい。ノードデバイス又はそれに対応するコンポーネントのような装置は、単一チップコンピュータ要素のようなコンピュータ又はマイクロプロセッサとして構成されてもよいし、或いは少なくとも、演算に使用されるストレージ容量を与えるメモリ、及び演算を実行するためのオペレーションプロセッサを含むチップセットとして構成されてもよい。
【０１２６】
前記実施形態は、電子装置にロードされたときに上述した装置を構成するプログラムインストラクションを含めて、配布媒体に実施されるコンピュータプログラムを提供する。配布媒体は、非一時的媒体である。
【０１２７】
コンピュータプログラムは、ソースコード形態、オブジェクトコード形態、又はある中間形態であり、そしてプログラムを搬送できるエンティティ又はデバイスであるある種のキャリア、配布媒体、又はコンピュータ読み取り可能な媒体に記憶される。そのようなキャリアは、例えば、レコード媒体、コンピュータメモリ、リードオンリメモリ、光電及び／又は電気キャリア信号、テレコミュニケーション信号、及びソフトウェア配布パッケージを含む。必要な処理能力にもよるが、コンピュータプログラムは、単一の電子デジタルコンピュータにおいて実行されてもよいし、或いは多数のコンピュータ間に分散されてもよい。コンピュータ読み取り可能な媒体又はコンピュータ読み取り可能なストレージ媒体は、非一時的媒体でもよい。
【０１２８】
ここに述べる技術は、種々の手段により具現化される。例えば、それら技術は、ハードウェア（１つ以上のデバイス）、ファームウェア（１つ以上のデバイス）、ソフトウェア（１つ以上のモジュール）、又はその組み合わせで具現化される。ハードウェアの具現化については、装置は、１つ以上の特定用途向け集積回路（ＡＳＩＣ）、デジタル信号プロセッサ（ＤＳＰ）、デジタル信号処理デバイス（ＤＳＰＤ）、プログラム可能なロジックデバイス（ＰＬＤ）、フィールドプログラマブルゲートアレイ（ＦＰＧＡ）、プロセッサ、コントローラ、マイクロコントローラ、マイクロプロセッサ、デジタルエンハンスト回路、ここに述べる機能を遂行するように設計された他の電子ユニット、又はその組み合わせ内で具現化される。ファームウェア又はソフトウェアについては、ここに述べる機能を遂行する少なくとも１つのチップセットのモジュール（例えば、手順、機能、等）を通して具現化が実行される。ソフトウェアコードは、メモリユニットに記憶され、そしてプロセッサにより実行される。メモリユニットは、プロセッサ内で、又はプロセッサの外部で具現化される。後者の場合には、良く知られたように、それが種々の手段を経てプロセッサに通信結合される。加えて、ここに述べるシステムのコンポーネントは、それについて述べた種々の観点等を達成し易くするために再配置され及び／又は付加的なコンポーネントで補足され、そしてそれらは、当業者に明らかなように、所与の図面に示された厳密な構成に限定されない。
【０１２９】
当業者であれば、技術の進歩と共に、本発明の概念は、種々の仕方で具現化されることが明らかであろう。本発明及びその実施形態は、前記の例に限定されず、特許請求の範囲内で変更し得る。
【符号の説明】
【０１３０】
１００、１０２：ユーザデバイス
１０４、１０６：通信チャンネル
１０８：アクセスノード
１１０：コアネットワーク（ＣＮ）
１１２：公衆交換電話ネットワーク又はインターネット
１１４：クラウド
６００：装置
６０２：メモリ
６０４：プロセッサ
７００：装置
７０２：メモリ
７０４：プロセッサ
【図１】
2019502328.tif 000003
【図２】
2019502328.tif 000004
【図３】
2019502328.tif 000005
【図４】
2019502328.tif 000006
【図５Ａ】
2019502328.tif 000007
【図５Ｂ】
2019502328.tif 000008
【図５Ｃ】
2019502328.tif 000009
【図６】
2019502328.tif 000010
【図７】
2019502328.tif 000011
【国際調査報告】
2019502328.tif 000012
2019502328.tif 000013
2019502328.tif 000014